(57)【要約】【課題】内側の通路を簡単に洗浄することができる、新たなエアゾール容器用ノズルを提案する。【解決手段】本発明におけるエアゾール容器用ノズル６は、エアゾール容器１のステム１ｃに連結するとともに該ステム１ｃからの内容物を導入する入口通路７ｃを備える連結部７ａと、該入口通路７ｃにつながる出口通路７ｆを経由して先端開口７ｅから内容物を吐出させる吐出筒部７ｄとを備えるものであり、前記吐出筒部７ｄは、該吐出筒部７ｄの後端壁７ｈに前記出口通路７ｆに通じる後端開口７ｇを有するとともに、該後端開口７ｇを開閉する蓋体８を備えることを特徴とする。【選択図】図１
2014234186.tif 000002
【特許請求の範囲】
【請求項１】
エアゾール容器のステムに連結するとともに該ステムからの内容物を導入する入口通路を備える連結部と、該入口通路につながる出口通路を経由して先端開口から内容物を吐出させる吐出筒部とを備えるエアゾール容器用ノズルであって、
前記吐出筒部は、該吐出筒部の後端壁に前記出口通路に通じる後端開口を有するとともに、該後端開口を開閉する蓋体を備えることを特徴とするエアゾール容器用ノズル。
【請求項２】
前記蓋体は、前記吐出筒部の側壁に設けた軸又は軸穴に揺動自在に保持される軸穴又は軸を有する請求項１に記載のエアゾール容器用ノズル。
【請求項３】
前記後端壁は、前記吐出筒部の軸又は軸穴と中心軸を同じくする円弧状の外周面を有し、前記蓋体は、前記外周面に沿って円弧状をなすとともに該外周面に当接する内周面を有する請求項２に記載のエアゾール容器用ノズル。
【請求項４】
前記蓋体は、後方に向けて突出する指掛け用のレバーを有する請求項１〜３の何れかに記載のエアゾール容器用ノズル。
【請求項５】
請求項４に記載のエアゾール容器用ノズルを備えるとともに、前記エアゾール容器のマウンティングカップに装着されるカバー部材を有するエアゾール容器用吐出具であって、
前記カバー部材は、前記ノズルの上部を押圧して前記ステムを押し下げる操作部を備え、前記レバーは、前記後端開口を開いた姿勢で該操作部の下面に押し当たり該操作部を上向き傾斜姿勢に変位させるものであるエアゾール容器用吐出具。
【発明の詳細な説明】
【技術分野】
【０００１】
本発明は、エアゾール容器のステムに接続され、容器内の内容物を吐出するエアゾール容器用ノズル、及びこのノズルと容器のマウンティングカップに装着されるカバー部材とを有する吐出具に関するものであり、特にノズルの内側の洗浄を行いやすくしたものに関する。
【背景技術】
【０００２】
加圧媒体を利用して内容物を噴出させるエアゾール式の容器は、整髪剤や毛染め剤等の化粧分野を始め、医療分野や食品分野へも展開されていて、その需要は今後益々増大していくものと考えられている。そして、このようなエアゾール容器のステムに接続され、ステムを押し下げて内容物を吐出させるノズルとしては、単一の容器に取り付けられて１種類の内容物を吐出させるものの他、２つの容器を並べた二連式容器に取り付けられて２種類の内容物を同時に吐出させるもの（例えば特許文献１参照）等、種々のノズルが知られている。
【先行技術文献】
【特許文献】
【０００３】
【特許文献１】特開２０００−１０９１５０号公報
【発明の概要】
【発明が解決しようとする課題】
【０００４】
ところで、内容物によっては、空気に触れたり別の種類の内容物と混ざり合ったりすることで固化してしまうものがあり、このような内容物を吐出させた後は、ノズルが目詰まりしてしまうことがある。特許文献１によれば、ノズルを水洗いしやすいように、これを容器から取り外しやすくする工夫がなされているものの、ノズルの内側に形成された通路は屈曲しているため、残った内容物を簡単には取り除くことができず、洗浄作業に手間を要していた。このため、内側の通路を洗浄しやすくしたノズルの登場が切に望まれていた。
【０００５】
本発明は、このような点を解決することを課題とするものであり、その目的は、内側に形成した内容物の通路を簡単に洗浄することができる、新たなエアゾール容器用ノズル、及びこのノズルを備えるエアゾール容器用吐出具を提案するところにある。
【課題を解決するための手段】
【０００６】
本発明は、エアゾール容器のステムに連結するとともに該ステムからの内容物を導入する入口通路を備える連結部と、該入口通路につながる出口通路を経由して先端開口から内容物を吐出させる吐出筒部とを備えるエアゾール容器用ノズルであって、
前記吐出筒部は、該吐出筒部の後端壁に前記出口通路に通じる後端開口を有するとともに、該後端開口を開閉する蓋体を備えることを特徴とするエアゾール容器用ノズルである。
【０００７】
前記蓋体は、前記吐出筒部の側壁に設けた軸又は軸穴に揺動自在に保持される軸穴又は軸を有することが好ましい。
【０００８】
前記後端壁は、前記吐出筒部の軸又は軸穴と中心軸を同じくする円弧状の外周面を有し、前記蓋体は、前記外周面に沿って円弧状をなすとともに該外周面に当接する内周面を有することが好ましい。
【０００９】
前記蓋体は、後方に向けて突出する指掛け用のレバーを有することが好ましい。
【００１０】
また、指掛け用のレバーを有するノズルを備えるとともに、前記エアゾール容器のマウンティングカップに装着されるカバー部材を有するエアゾール容器用吐出具にあっては、前記カバー部材は、前記ノズルの上部を押圧して前記ステムを押し下げる操作部を備え、前記レバーは、前記後端開口を開いた姿勢で該操作部の下面に押し当たり該操作部を上向き傾斜姿勢に変位させるものであることが好ましい。
【発明の効果】
【００１１】
本発明のエアゾール容器用ノズルは、ステムからの内容物を導入する入口通路を備える連結部と、入口通路につながる出口通路を経由して先端開口から内容物を吐出させる吐出筒部とを備え、吐出筒部は、その後端壁に出口通路に通じる後端開口を有するとともに、後端開口を開閉する蓋体を備えているので、後端開口を閉めた姿勢に蓋体を変位させることで、通常のノズルと同様に先端開口から内容物を吐出させることができる。また、後端開口を開いた姿勢に変位させることも可能であり、この場合は出口通路の両端部が何れも開いた状態になるので、洗浄が行いやすくなる。
【００１２】
蓋体に、吐出筒部の側壁に設けた軸又は軸穴に揺動自在に保持される軸穴又は軸を設ける場合は、常時、蓋体を吐出筒部に取り付けたままにしておくことができる上、蓋体を揺動させるだけの簡単な操作で後端開口を開閉させることができる。
【００１３】
後端壁に、吐出筒部の軸又は軸穴と中心軸を同じくする円弧状の外周面を設け、蓋体に、外周面に沿う円弧状をなすとともにこの外周面に当接する内周面を設ける場合は、蓋体をぐらつきなく保持できるとともに、後端壁と蓋体との間に隙間がなくなるので、後端開口を確実に閉めた状態にすることができる。
【００１４】
蓋体に、後方に向けて突出する指掛け用のレバーを設ける場合は、蓋体を揺動させる操作がより行いやすくなる。
【００１５】
指掛け用のレバーを有するノズルと、エアゾール容器のマウンティングカップに装着されるカバー部材とを有するエアゾール容器用吐出具にあっては、カバー部材に、ノズルの上部を押圧してステムを押し下げる操作部を設け、レバーを、後端開口を開いた姿勢で操作部の下面に押し当たってこの操作部を上向き傾斜姿勢に変位させるようにすることで、後端開口が閉まっているか否かが操作部の姿勢で容易に判断できる。また、後端開口が閉まっていないまま操作部を押圧しても、レバーも一緒に揺動して後端開口を閉めることができるので、閉め忘れによる不具合が有効に回避できる。
【図面の簡単な説明】
【００１６】
【図１】本発明に従うノズル及びこのノズルを備える吐出具の一つの実施形態を、エアゾール容器に装着した状態で示す、正面視での半断面図である。
【図２】図１に示すノズル及び吐出具の要部を示す、側面視での断面図である。
【図３】図１に示すノズル及び吐出具の平面視での半断面図である。
【図４】（ａ）は、図２に示す状態から操作部を押し下げて内容物を吐出させる状態を示す図であり、（ｂ）は、ノズルを洗浄する状態を示す図である。
【図５】本発明に従うノズル及びこのノズルを備える吐出具の他の実施形態を、エアゾール容器に装着した状態で示す、正面視での半断面図である。
【図６】図５に示すノズル及び吐出具の要部を示す、側面視での断面図である。
【図７】図５に示すノズル及び吐出具の平面視での半断面図である。
【図８】（ａ）は、図６に示す状態から操作部を押し下げて内容物を吐出させる状態を示す図であり、（ｂ）は、ノズルを洗浄する状態を示す図である。
【発明を実施するための形態】
【００１７】
以下、図面を参照して、本発明をより具体的に説明する。
図１は、本発明に従うノズル及びこのノズルを備える吐出具の一つの実施形態を、エアゾール容器に装着した状態で示す、正面視での半断面図であって、図２は、図１に示すノズル及び吐出具の要部を示す、側面視での断面図であって、図３は、図１に示すノズル及び吐出具の平面視での半断面図であって、図４（ａ）は、図２に示す状態から操作部を押し下げて内容物を吐出させる状態を示す図であり、図４（ｂ）は、ノズルを洗浄する状態を示す図である。なお、本明細書において「前方」とは、図２を参照して、内容物を外界に向けて吐出させる開口（先端開口７ｅ）が位置する側であり、「後方」とは、エアゾール容器の中心軸線を挟んでこれと反対側である。また「側方」とは、前方から後方に向かってエアゾール容器を見る際の左右方向である。
【００１８】
図１及び図２において、符号１はエアゾール容器（以下、単に「容器」と称す場合もある）であり、符号２はこの容器に取り付けられる吐出具である。吐出具２は、カバー部材３とノズル６で構成されるものであり、更に、本実施形態でカバー部材３は、固定盤４及び外カバー５で構成されている。またノズル６は、ノズル本体７及び蓋体８で構成されている。
【００１９】
本実施形態でエアゾール容器１は、同形状となる２つのエアゾール缶を左右に並べた、一般に二連式エアゾール容器と称されるものである。エアゾール缶は、有底筒状となる金属製の容器本体１ａの上端部に、これもまた金属製となるマウンティングカップ１ｂの外縁を巻き締めして固着したものであり、それぞれのエアゾール缶には、互いに異なる種類の内容物が充填されている。また、マウンティングカップ１ｂの中央部には、エアゾール缶内に充填した内容物を、押し下げによって噴出させるステム１ｃを設けている。
【００２０】
固定盤４は、２つのエアゾール缶を一括りにして保持するものであり、２つのマウンティングカップ１ｂのそれぞれを囲繞するとともにこれらのマウンティングカップ１ｂに係止される周壁４ａと、ステム１ｃを挿通させる開口４ｂを有し周壁４ａの上端と連結する天壁４ｃとを備えていて、周壁４ａには、この周壁４ａを下方から上方に向けて切り欠いてマウンティングカップ１ｂに係止させる際に周壁４ａを撓ませるスリット４ｄが設けられている。また、周壁４ａの側方には、下方に向かって外側に傾斜する傾斜面付きの係合爪４ｅが設けられている。
【００２１】
外カバー５は、ステム１ｃを露出させる開口５ａを有するとともに固定盤４の上方に位置する上壁５ｂを備えている。上壁５ｂは、図１に示すように、その側方外縁から起立する連結壁５ｃを介して頂壁５ｄにつながっている。また、頂壁５ｄの周囲には、外周壁５ｇが連結していて、その前方及び後方には、開口５ｅ、５ｆ（図２参照）が設けられている。また、外周壁５ｇの側方には、図１に示すように、係合爪４ｅに係止される係合孔５ｈを有する揺動片５ｉが設けられている。揺動片５ｉは、その前方及び後方に設けた連結片５ｊによって外周壁５ｇに連結するものであり、連結片５ｊよりも上方に位置する揺動片５ｉの上方域を内側に押圧すれば、揺動片５ｉは連結片５ｊを中心に揺動し、係合孔５ｈが外側に変位して係合爪４ｅとの係合を外すことができる。また、頂壁５ｄの中央部には、図２、図３に示すように、薄肉状のヒンジ５ｋを介して連結し、内容物を吐出させる際に指で押す部位となる操作部５ｍが設けられている。更に、操作部５ｍの下面には、指で押された際にノズル本体７に押し当たるリブ５ｎが、ステム１ｃの上方に位置するように総計２つ設けられている。
【００２２】
ノズル本体７は、図２に示すように、ステム１ｃに連結する連結部７ａを備えている。連結部７ａの下方は、それぞれのステム１ｃを取り囲む筒状になっていて、ここに、外カバー５の開口５ａに引っ掛かる爪部７ｂを設けている。また、連結部７ａの内側には、各ステム１ｃからの内容物をそれぞれ独立して導入する、縦型となる２つの入口通路７ｃが設けられている。また、ノズル本体７は、連結部７ａから前方に向けて延在する２つの吐出筒部７ｄを備えていて、吐出筒部７ｄの内側には、入口通路７ｃにつながるとともに吐出筒部７ｄに沿って伸延し、吐出筒部７ｄの先端開口７ｅから内容物を吐出させる、横型の出口通路７ｆを備えている。
【００２３】
また、図２に示すように、吐出筒部７ｄの後方は、出口通路７ｆに通じる後端開口７ｇを残して後端壁７ｈにて閉鎖されている。更に、図１、図３に示すように吐出筒部７ｄの側方には、外側に向けて突出する円柱状の軸７ｉが、左右で一対設けられている。ここで、後端壁７ｈの外周面は、図２に示すように円弧状になっているが、この外周面は、軸７ｉの中心軸Ｏ１（図３参照）と同じ中心軸を持つ形状になっている。
【００２４】
蓋体８は、図２に示すように、後端壁７ｈの径方向外側に位置する蓋体基部壁８ａを備えている。蓋体基部壁８ａの内周面は、後端壁７ｈの外周面に沿って円弧状をなすとともに、この外周面に当接するように形成されている。また蓋体基部壁８ａの側方には、図３に示すように、左右で対をなす平板状の蓋体側壁８ｂが設けられていて、それぞれの蓋体側壁８ｂには、軸７ｉに適合する軸穴８ｃが設けられている。更に、蓋体基部壁８ａには、後方に向けて突出するレバー８ｄが設けられている。
【００２５】
このように構成される容器１及び吐出具２を用いて内容物を吐出させるに当たっては、操作部５ｍに指を当てて下方に押圧し、操作部５ｍを、図２に示す水平姿勢から図４（ａ）に示す下向き傾斜姿勢に変位させ、操作部５ｍの下面に設けたリブ５ｎを、ノズル本体７の上部に押し当てる。これにより、ノズル本体７及び２本のステム１ｃが下方に変位して、それぞれのステム１ｃから内容物が噴出する。そしてステム１ｃから噴出させた内容物は、入口通路７ｃから出口通路７ｆを経て、先端開口７ｅより外界に向けて吐出される。この場合、図４（ａ）に示すように、吐出筒部７ｄの後端開口７ｇは、蓋体８によって閉められているので、後端開口７ｇから内容物が吐出されることはない。また、外カバー５の上壁５ｂは、後方部分が下方に傾斜しているので、ノズル本体７とともに蓋体８が下方に移動しても、レバー８ｄとの干渉を避けることができる。
【００２６】
ノズル本体７の内側を洗浄するに当たっては、図１に示す揺動片５ｉを内側に押圧して係合爪４ｅと係合孔５ｈとの係合を解除し、外カバー５、ノズル本体７及び蓋体８を容器１から取り外す。そして、図４（ｂ）に示すように、矢印の向きにレバー８ｄを引き上げることで、蓋体８が軸穴８ｃを中心に揺動して、後端開口７ｇを開くことができる。これにより、出口通路７ｆは、その両端が開放された状態となり、先端開口７ｅ又は後端開口７ｇの一方の開口から勢いよく水を流し込むことで、その勢いのまま他方の開口から排水することができるので、出口通路７ｆに付着していた内容物を効率よく洗い流すことができる。なお、ノズル本体７及び蓋体８は、操作部５ｍを上方に傾斜させるとともにノズル本体７を上方に引き上げることで、外カバー５から取り外すことができるので、ノズル本体７の洗浄作業は、これらのみを取り外して行うことも可能である。
【００２７】
その後は、取り外した部材を元のように容器１に組み込めば、ノズル本体７が目詰まりしていない状態で内容物を吐出させることができる。なお、図４（ｂ）に示すように、後端開口７ｇを開放したまま容器１に組み込んでも、操作部５ｍは、引き上げたレバー８ｄが下面に押し当たることで上向き傾斜姿勢に変位するので、図２に示す通常の姿勢（水平姿勢）との違いによって、後端開口７ｇが開放したままであることを容易に知ることができる。また、上向き傾斜姿勢のままで操作部５ｍを押圧しても、レバー８ｄが揺動して後端開口７ｇは閉じられるので、閉め忘れによる不具合を有効に防止することができる。
【００２８】
次に、図５〜図８を参照して、本発明に従うノズル及びこのノズルを備える吐出具の他の実施形態について説明する。
図５は、本発明に従うノズル及びこのノズルを備える吐出具の他の実施形態を、エアゾール容器に装着した状態で示す、正面視での半断面図であって、図６は、図５に示すノズル及び吐出具の要部を示す、側面視での断面図であって、図７は、図５に示すノズル及び吐出具の平面視での半断面図であって、図８（ａ）は、図６に示す状態から操作部を押し下げて内容物を吐出させる状態を示す図であり、図８（ｂ）は、ノズルを洗浄する状態を示す図である。なお、以下の説明において、先の実施形態と同じ名称を付した部位は、同一の機能を有するものである。
【００２９】
図５及び図６において、符号１０はエアゾール容器（以下、単に「容器」と称す場合もある）であり、符号２０はこの容器に取り付けられる吐出具である。また吐出具２０は、カバー部材３０とノズル６０で構成され、カバー部材３０は、固定盤４０及び外カバー５０で構成され、ノズル６０は、ノズル本体７０及び蓋体８０で構成されている。
【００３０】
本実施形態でエアゾール容器１０は、図５に示すように、金属製となる円筒状の容器本体１０ａに、同じく金属製となるマウンティングカップ１０ｂの外縁を巻き締め等によって固着したものであり、内側には２種類の内容物が別個に収容されている。また容器１０は、それぞれの内容物の収容空間につながる総計２本のステム１０ｃを有している。
【００３１】
固定盤４０は、マウンティングカップ１０ｂの直上に装着されるものであり、マウンティングカップ１０ｂに沿って階段状をなすとともにその内側に設けた爪部にてマウンティングカップに係止される周壁４０ａと、ステム１０ｃを挿通させる開口４０ｂを有し、周壁４０ａの上端と連結する天壁４０ｃとを備えている。また、周壁４０ａの側方には、下方に向かって外側に傾斜する傾斜面付きの係合爪４０ｅが設けられている。
【００３２】
外カバー５０は、ステム１０ｃを露出させる開口５０ａを有するとともに固定盤４０の上方に位置する上壁５０ｂを備えている。上壁５０ｂは、図５に示すように、その側方外縁から起立する連結壁５０ｃを介して頂壁５０ｄにつながっていて、頂壁５０ｄの周囲には、前方及び後方にそれぞれ開口５０ｅ、５０ｆ（図６参照）を設けた外周壁５０ｇが連結している。また、外周壁５０ｇの側方には、図５に示すように、係合爪４０ｅに係止される係合孔５０ｈを有する揺動片５０ｉが設けられていて、揺動片５０ｉは、その前方及び後方に設けた連結片５０ｊによって外周壁５０ｇに連結するものである。これにより、先の実施形態に述べた揺動片５ｉと同様に、揺動片５０ｉを内側に押圧することで、係合孔５０ｈと係合爪４０ｅとの係合を外すことができる。また、頂壁５０ｄには、図６、図７に示すように、薄肉状のヒンジ５０ｋを介して連結する操作部５０ｍが設けられ、操作部５０ｍの下面には、総計２つのリブ５０ｎが設けられている。
【００３３】
ノズル本体７０は、図６に示すように、ステム１０ｃに連結する連結部７０ａを備えていて、連結部７０ａの下方には、外カバー５０の開口５０ａに引っ掛かる爪部７０ｂを備えている。また、連結部７０ａの内側には、２つの入口通路７０ｃが設けられている。また、ノズル本体７０は、連結部７０ａから前方に向けて延在する２つの吐出筒部７０ｄを備えていて、吐出筒部７０ｄの内側には、入口通路７０ｃにつながるとともに吐出筒部７０ｄに沿って伸延し、吐出筒部７０ｄの先端開口７０ｅから内容物を吐出させる、横型の出口通路７０ｆを備えている。
【００３４】
また、図６に示すように、吐出筒部７０ｄの後方には、後端開口７０ｇを形成した後端壁７０ｈが設けられていて、吐出筒部７０ｄの側方には、図５、図７に示すように外側に向けて突出し、左右で対をなす円柱状の軸７０ｉが設けられている。また、後端壁７０ｈの外周面は、図６に示すように円弧状になっているが、この外周面は、軸７０ｉの中心軸Ｏ２（図７参照）と同じ中心軸を持つ形状になっている。
【００３５】
蓋体８０は、図６に示すように、後端壁７０ｈの径方向外側に位置する蓋体基部壁８０ａを備えていて、蓋体基部壁８０ａの内周面は、後端壁７０ｈの外周面に沿って円弧状をなすとともに、この外周面に当接するように形成されている。また蓋体基部壁８０ａの側方には、図７に示すように、左右で対をなす平板状の蓋体側壁８０ｂが設けられていて、それぞれの蓋体側壁８０ｂには、軸７０ｉに適合する軸穴８０ｃが設けられている。更に、蓋体基部壁８０ａには、後方に向けて突出するレバー８０ｄが設けられている。
【００３６】
このように構成される容器１０及び吐出具２０も、図８（ａ）、（ｂ）に示すように、前述の容器１及び吐出具２と同様にして、内容物の吐出やノズル本体７０の洗浄を行うことができる。
【００３７】
なお、本発明のノズル及びこのノズルを備える吐出具は、これらの実施形態に限定されるものではなく、種々の変更が可能である。例えば、前述の実施形態では、ノズル本体の吐出筒部に軸を設け、これに対応する軸穴を蓋体に設けたが、軸及び軸穴を相互に入れ換えて設けてもよい。また蓋体は、ノズル本体に揺動できるようにすることが好ましいが、上下、左右にスライドさせるものでもよく、また、ヒンジを介してノズル本体に連結しても、更に、ノズル本体から取り外すようにしたものであってもよい。また、例えばコンパクト化を優先することを目的として、蓋体に設けたレバーを省略することも可能である。また、カバー部材は、固定盤と外カバーの２つの部材で構成したが、マウンティングカップに係止されるとともに外装品としての機能を持つ、１つの部材として構成してもよい。更に、外カバーに設けた操作部を省略して、ノズルを直接押圧するようにしてもよい。また、ノズル及び吐出具は、１種類の内容物を充填するとともに１つのステムを備えるエアゾール容器に適用することも可能であり、この場合は、ノズルの入口通路及び出口通路を１つにすればよい。
【産業上の利用可能性】
【００３８】
本発明によれば、内側の通路を簡単に洗浄することができる、新たなエアゾール容器用ノズル、及びこのノズルを備えるエアゾール容器用吐出具を提供できる。
【符号の説明】
【００３９】
１、１０  エアゾール容器（容器）
１ａ、１０ａ  容器本体
１ｂ、１０ｂ  マウンティングカップ
１ｃ、１０ｃ  ステム
２、２０  吐出具
３、３０  カバー部材
４、４０  固定盤
４ａ、４０ａ  周壁
４ｂ、４０ｂ  開口
４ｃ、４０ｃ  天壁
４ｄ  スリット
４ｅ、４０ｅ  係合爪
５、５０  外カバー
５ａ、５０ａ  開口
５ｂ、５０ｂ  上壁
５ｃ、５０ｃ  連結壁
５ｄ、５０ｄ  頂壁
５ｅ、５ｆ、５０ｅ、５０ｆ  開口
５ｇ、５０ｇ  外周壁
５ｈ、５０ｈ  係合孔
５ｉ、５０ｉ  揺動片
５ｊ、５０ｊ  連結片
５ｋ、５０ｋ  ヒンジ
５ｍ、５０ｍ  操作部
５ｎ、５０ｎ  リブ
６、６０  ノズル
７、７０  ノズル本体
７ａ、７０ａ  連結部
７ｂ、７０ｂ  爪部
７ｃ、７０ｃ  入口通路
７ｄ、７０ｄ  吐出筒部
７ｅ、７０ｅ  先端開口
７ｆ、７０ｆ  出口通路
７ｇ、７０ｇ  後端開口
７ｈ、７０ｈ  後端壁
７ｉ、７０ｉ  軸
８、８０  蓋体
８ａ、８０ａ  蓋体基部壁
８ｂ、８０ｂ  蓋体側壁
８ｃ、８０ｃ  軸穴
８ｄ、８０ｄ  レバー
Ｏ１  軸、軸穴の中心軸
Ｏ２  軸、軸穴の中心軸
【図１】
2014234186.tif 000003
【図２】
2014234186.tif 000004
【図３】
2014234186.tif 000005
【図４】
2014234186.tif 000006
【図５】
2014234186.tif 000007
【図６】
2014234186.tif 000008
【図７】
2014234186.tif 000009
【図８】
2014234186.tif 000010